(57)【要約】【課題】  盗難、紛失等にあっても、不正利用を防止する携帯通信端末を提供する。【解決手段】  携帯通信端末１と、非接触ＩＣチップを内蔵する識別情報送信装置２とを備える無線通信システムにおいて、携帯通信端末１は、識別情報送信装置２に識別情報の送信を要求し、識別情報送信装置２は、識別情報を送信する要求を受信すると、識別情報を送信し、携帯通信端末１は、識別情報を受信すると、識別情報を解読し、携帯通信端末１は、解読した識別情報と照合用の識別情報とを比較し、一致しなかった場合、携帯通信端末１の所有者が近くにいないと判断する。【選択図】  図１
2006197218.tif 000002
【特許請求の範囲】
【請求項１】
携帯通信端末と、非接触ＩＣチップを内蔵する識別情報送信装置とを備える無線通信システムにおける通信方法において、
前記携帯通信端末は、前記識別情報送信装置に前記携帯通信端末の識別情報の送信を要求し、
前記識別情報送信装置は、前記識別情報を送信する要求を受信すると、前記識別情報を送信し、
前記携帯通信端末は、前記識別情報を受信すると、前記識別情報を解読し、
前記携帯通信端末は、解読した前記識別情報と照合用の識別情報とを比較し、一致しなかった場合、前記携帯通信端末の所有者が近くにいないと判断することを特徴とする無線通信システムにおける通信方法。
【請求項２】
携帯通信端末と、非接触ＩＣチップを内蔵する識別情報送信装置とを備える無線通信システムにおける通信方法において、
前記携帯通信端末は、前記識別情報送信装置に前記携帯通信端末の識別情報の送信を要求し、
前記携帯通信端末は、前記識別情報を前記識別情報送信装置から受信しない場合、カウント１プラスして、設定の要求回数内に受信できていなければ、前記携帯通信端末の所有者が近くにいないと判断することを特徴とする無線通信システムにおける通信方法。
【請求項３】
前記携帯通信端末の所有者が近くにいないと判断され、前記携帯通信端末の全機能を利用不可能にした場合、前記携帯通信端末のデータ管理部に格納されるデータをあらかじめ設定されたサーバにアップロードさせ、
アップロード終了後、前記携帯通信端末のデータ管理部内のデータを削除することを特徴とする請求項１又は２記載の無線通信システムにおける通信方法。
【請求項４】
携帯通信端末と、非接触ＩＣチップを内蔵する識別情報送信装置とを備える無線通信システムにおいて、
前記携帯通信端末は、前記識別情報送信装置に識別情報の送信を要求し、
前記識別情報送信装置は、前記識別情報を送信する要求を受信すると、前記識別情報を送信し、
前記携帯通信端末は、前記識別情報を受信すると、前記識別情報を解読し、
前記携帯通信端末は、解読した前記識別情報と照合用の識別情報とを比較し、一致しなかった場合、前記携帯通信端末の所有者が近くにいないと判断することを特徴とする無線通信システム。
【請求項５】
携帯通信端末と、非接触ＩＣチップを内蔵する識別情報送信装置とを備える無線通信システムにおける通信方法において、
前記携帯通信端末は、前記識別情報送信装置に識別情報の送信を要求し、
前記携帯通信端末は、前記識別情報を前記識別情報送信装置から受信しない場合、カウント１プラスして、設定の要求回数内に受信できていなければ、前記携帯通信端末の所有者が近くにいないと判断することを特徴とする無線通信システム。
【請求項６】
前記携帯通信端末の所有者が近くにいないと判断され、前記携帯通信端末の全機能を利用不可能にした場合、前記携帯通信端末のデータ管理部に格納されるすべてのデータをあらかじめ設定されたサーバにアップロードさせ、
アップロード終了後、前記携帯通信端末のデータ管理部内のデータをすべてを削除することを特徴とする請求項４又は５記載の無線通信システム。
【請求項７】
携帯通信端末と、非接触ＩＣチップを内蔵する識別情報送信装置とを備える無線通信システムの携帯通信端末において、
前記識別情報送信装置に識別情報の送信を要求し、
前記識別情報を受信すると、前記識別情報を解読し、
解読した前記識別情報と照合用の識別情報とを比較し、一致しなかった場合、前記携帯通信端末の所有者が近くにいないと判断することを特徴とする無線通信システムの携帯通信端末。
【請求項８】
携帯通信端末と、非接触ＩＣチップを内蔵する識別情報送信装置とを備える無線通信システムの携帯通信端末において、
前記識別情報送信装置に識別情報の送信を要求し、
前記識別情報を前記識別情報送信装置から受信しない場合、カウント１プラスして、設定の要求回数内に受信できていなければ、前記携帯通信端末の所有者が近くにいないと判断することを特徴とする無線通信システムの携帯通信端末。
【請求項９】
前記携帯通信端末の所有者が近くにいないと判断され、前記携帯通信端末の全機能を利用不可能にした場合、前記携帯通信端末のデータ管理部に格納されるすべてのデータをあらかじめ設定されたサーバにアップロードさせ、
アップロード終了後、前記携帯通信端末のデータ管理部内のデータをすべてを削除することを特徴とする請求項７又は８記載の無線通信システムの携帯通信端末。
【請求項１０】
非接触ＩＣチップを内蔵する識別情報送信装置とを備える無線通信システムの識別情報送信装置において、
前記識別情報送信装置は、前記識別情報を送信する要求を受信すると、前記識別情報を送信することを特徴とする無線通信システムの識別情報送信装置。
【発明の詳細な説明】
【技術分野】
【０００１】
本発明は、無線通信システムにおける通信方法、無線通信システム、携帯通信端末及び識別情報送信装置に関し、特に、携帯通信端末の不正利用を防止する無線通信システムにおける通信方法、無線通信システム、携帯通信端末及び識別情報送信装置に関する。
【背景技術】
【０００２】
携帯電話機は、普及率も上昇し一般的なインフラとしての認知もされてきている。
【０００３】
そのため、携帯電話機に金融機能を持たせた「電子マネー」的な利用方法が考案され、実用化されている。
【０００４】
上記の例は一例であるが、携帯電話機は盗難などによって紛失すると、多大な被害を被る。
【０００５】
また、最近では個人情報の流出の事件が目立つようになっており、ますます情報の管理に注意を払わなくてはならなくなっている。
【０００６】
特許文献１には、個人識別用発信器を所有者に持たせ、携帯電話機がこの情報を受信していれば正常に動作し、受信できないとき又は情報内容が異なる場合は、正式な所有者がいないと判断して、少なくとも一部の機能の利用を不可能にする技術が開示されている。
【０００７】
特許文献２には、電源投入後、発信機から受信する使用者識別データ情報を監視し、所定の時間内に前記使用者識別データ情報を受信すれば、受信した使用者識別データ情報とあらかじめ記憶部に記憶していた使用者識別データ情報とを比較して、一致した場合は、通信先との通信が可能となる技術が開示されている。
【０００８】
特許文献３には、ユーザＩＤ記憶手段と通信手段とを有し、非接触で通信を行い、ユーザＩＤを認識可能な状態であるときのみ、サービスの利用権を与え、利用したサービスに応じた課金を行う携帯端末装置が開示されている。
【０００９】
特許文献４には、ＩＣカードに記録されているデータを読み取り、そのデータをＩＣカードを管理するサーバに通信回線を介して送信し、送信されたＩＣカードに係るデータをもとに処理したサーバからの所定のデータを通信回線を介して受信し、受信した所定のデータをＩＣカードに書込む技術が開示されている。
【特許文献１】特開平０７−８７５５９号公報
【特許文献２】特開平１１−１８１４７号公報
【特許文献３】特開２０００−３１２３８２号公報
【特許文献４】特開２００４−１６４４９９号公報
【発明の開示】
【発明が解決しようとする課題】
【００１０】
しかしながら、上記の従来技術では下記のような点で困難があった。
【００１１】
特許文献１に開示された技術では、常時通信を行っており、常時通信を行うことは、端末の消費電力増大につながり、電池寿命の低下をもたらすというデメリットがあった。
【００１２】
また、特許文献２に開示された技術では、所定時間内に情報を受信することは一般的な技術である。
【００１３】
また、特許文献３に開示された技術では、不正な電話利用によるサービス利用料金の不正課金の防止を目的としていた。
【００１４】
そこで、本発明は、上記の課題を解決することを目的とする。
【課題を解決するための手段】
【００１５】
本発明は、上記課題を解決するための手段として、携帯通信端末と、非接触ＩＣチップを内蔵する識別情報送信装置とを備える無線通信システムにおける通信方法において、前記携帯通信端末は、前記識別情報送信装置に前記携帯通信端末の識別情報の送信を要求し、前記識別情報送信装置は、前記識別情報を送信する要求を受信すると、前記識別情報を送信し、前記携帯通信端末は、前記識別情報を受信すると、前記識別情報を解読し、前記携帯通信端末は、解読した前記識別情報と照合用の識別情報とを比較し、一致しなかった場合、前記携帯通信端末の所有者が近くにいないと判断することを特徴とする。
【００１６】
また、本発明は、携帯通信端末と、非接触ＩＣチップを内蔵する識別情報送信装置とを備える無線通信システムにおける通信方法において、前記携帯通信端末は、前記識別情報送信装置に前記携帯通信端末の識別情報の送信を要求し、前記携帯通信端末は、前記識別情報を前記識別情報送信装置から受信しない場合、カウント１プラスして、設定の要求回数内に受信できていなければ、前記携帯通信端末の所有者が近くにいないと判断することを特徴とする。
【００１７】
また、本発明は、前記携帯通信端末の所有者が近くにいないと判断され、前記携帯通信端末の全機能を利用不可能にした場合、前記携帯通信端末のデータ管理部に格納されるデータをあらかじめ設定されたサーバにアップロードさせ、アップロード終了後、前記携帯通信端末のデータ管理部内のデータを削除することを特徴とする。
【００１８】
また、本発明は、携帯通信端末と、非接触ＩＣチップを内蔵する識別情報送信装置とを備える無線通信システムにおいて、前記携帯通信端末は、前記識別情報送信装置に識別情報の送信を要求し、前記識別情報送信装置は、前記識別情報を送信する要求を受信すると、前記識別情報を送信し、前記携帯通信端末は、前記識別情報を受信すると、前記識別情報を解読し、前記携帯通信端末は、解読した前記識別情報と照合用の識別情報とを比較し、一致しなかった場合、前記携帯通信端末の所有者が近くにいないと判断することを特徴とする。
【００１９】
また、本発明は、携帯通信端末と、非接触ＩＣチップを内蔵する識別情報送信装置とを備える無線通信システムにおける通信方法において、前記携帯通信端末は、前記識別情報送信装置に識別情報の送信を要求し、前記携帯通信端末は、前記識別情報を前記識別情報送信装置から受信しない場合、カウント１プラスして、設定の要求回数内に受信できていなければ、前記携帯通信端末の所有者が近くにいないと判断することを特徴とする。
【００２０】
また、本発明は、前記携帯通信端末の所有者が近くにいないと判断され、前記携帯通信端末の全機能を利用不可能にした場合、前記携帯通信端末のデータ管理部に格納されるすべてのデータをあらかじめ設定されたサーバにアップロードさせ、アップロード終了後、前記携帯通信端末のデータ管理部内のデータをすべてを削除することを特徴とする。
【００２１】
また、本発明は、携帯通信端末と、非接触ＩＣチップを内蔵する識別情報送信装置とを備える無線通信システムの携帯通信端末において、前記識別情報送信装置に識別情報の送信を要求し、前記識別情報を受信すると、前記識別情報を解読し、解読した前記識別情報と照合用の識別情報とを比較し、一致しなかった場合、前記携帯通信端末の所有者が近くにいないと判断することを特徴とする。
【００２２】
また、本発明は、携帯通信端末と、非接触ＩＣチップを内蔵する識別情報送信装置とを備える無線通信システムの携帯通信端末において、前記識別情報送信装置に識別情報の送信を要求し、前記識別情報を前記識別情報送信装置から受信しない場合、カウント１プラスして、設定の要求回数内に受信できていなければ、前記携帯通信端末の所有者が近くにいないと判断することを特徴とする。
【００２３】
また、本発明は、前記携帯通信端末の所有者が近くにいないと判断され、前記携帯通信端末の全機能を利用不可能にした場合、前記携帯通信端末のデータ管理部に格納されるすべてのデータをあらかじめ設定されたサーバにアップロードさせ、アップロード終了後、前記携帯通信端末のデータ管理部内のデータをすべてを削除することを特徴とする。
【００２４】
また、本発明は、非接触ＩＣチップを内蔵する識別情報送信装置とを備える無線通信システムの識別情報送信装置において、前記識別情報送信装置は、前記識別情報を送信する要求を受信すると、前記識別情報を送信することを特徴とする。
【発明の効果】
【００２５】
本発明によれば、識別情報送信装置から送信された識別情報を照合用の識別情報と比較し、一致しなかった場合、携帯通信端末の所有者が近くにいないと判断するので、携帯通信端末が所有者から一定の距離だけ離れると、携帯通信端末の機能をロックし、仮に、盗難、紛失等にあっても、不正利用を防止することができる。
【発明を実施するための最良の形態】
【００２６】
以下、添付図面を参照して本発明を実施するための最良の実施の形態を説明する。
【００２７】
［構成の説明］
図１は、本発明の一実施の形態として、携帯通信端末としての携帯電話機と、識別情報送信装置としての非接触ＩＣ装置の構成を示すブロック図である。
【００２８】
図１に示すように、本実施の形態の携帯電話機１は、アンテナ３と、無線部４と、音声処理部５と、スピーカ６と、マイク７と、制御部８と、暗号部９と、データ管理部１０と、表示部１１と、操作部１２とを備えている。
【００２９】
本実施の形態の非接触ＩＣ装置２は、携帯電話機５と無線による非接触通信をするためのコイル状のアンテナ１３と、携帯電話機との無線処理を行う無線部１４と、非接触ＩＣセット全体を制御する制御部１５と、無線でやりとりする情報の盗み見を防止するために情報の暗号化及び受信した情報の解読を行う暗号部１６と、携帯電話機１を他の携帯電話機と識別するためのデータを保管するデータ管理部１７と、を備えている。
【００３０】
携帯電話機１及び非接触ＩＣ装置２に格納される「識別するためのデータ」は、ユーザには書き換え不可能である。
【００３１】
ユーザによる不用意な変更・消去により、システムが機能しなくなったり、悪意のある第３者により書き換えられた場合、本システムが機能しなくなる恐れがあるためである。
【００３２】
パソコンに利用されているネットワークカードには「ＭＡＣアドレス」という、そのカード（チップ）に世界で唯一の番号が割り振られており、ＲＯＭ化されていて、ユーザによる書き換えは不可能であるが、上記の「識別するためのデータ」もこのようにユーザによる書き換えが不可能であるほうがよい。
【００３３】
また、暗号化に用いる暗号の種類としては、ＲＳＡ、ＤＥＳ（Ｄａｔａ  Ｅｎｃｒｙｐｔｉｏｎ  Ｓｔａｎｄａｒｄ）、ＲＣ５及びＳＥＡＬなどがある。
【００３４】
［動作の説明］
まず、本実施の形態のおおまかな動作について説明する。
【００３５】
携帯電話機１と非接触ＩＣ装置２の各々のデータ管理部１０及び１７には、あらかじめ共通の識別情報が記録されている。
【００３６】
そして、非接触ＩＣ装置２を携帯電話機１の所有者が、肌身離さず持っているようにする。
【００３７】
携帯電話機１は、不定期に非接触ＩＣ装置２に向かって識別情報の要求を行う。
【００３８】
要求を受けた非接触ＩＣ装置２は、内部に格納されるデータ管理部１７内の識別情報を暗号部１６で暗号化した上で、無線部１４及びアンテナ１３により、携帯電話機１に送信する。
【００３９】
携帯電話機１はアンテナ３及び無線部４により受信した情報を、暗号部９により解読し、データ管理部１０が有する識別情報と比較する。
【００４０】
この識別情報が一致した場合、携帯電話機１が正式な所有者の近くにいると判断する。
【００４１】
ここで、「不定期」とは、携帯電話機１が有する重要機能・情報にアクセスする処理命令が発せられたときであり、そのときには命令の実行前に必ず非接触ＩＣ装置２の存在を前記した方法で確認し、所有者が近くにいることを確認した上で処理を継続する。
【００４２】
ここでいう重要機能・情報とは、例えば、Ｗｅｂへのアクセスや金融決済処理機能、そしてアドレス帳情報（個人情報）などを指す。また、所有者（使用者）の任意の設定により、重要機能・情報の対象となる機能・情報を追加することができる。
【００４３】
上記のような動作をすることで、仮に、携帯電話機１が悪意のある第三者に盗まれても、携帯電話機１の重要な機能の不正利用や、個人情報が漏洩することを防止することができる。
【００４４】
図２は、本実施の形態の動作を示すフローチャートである。
【００４５】
図２に示すように、特定処理前のイベントの発生により（ステップＳ１）、非接触ＩＣ装置２へ識別情報の要求命令を送信する（ステップＳ２）。
【００４６】
次いで、非接触ＩＣ装置２は携帯電話機１からの識別情報の要求命令を受信すると（ステップＳ３）、データ管理部１７から識別情報を読み出して（ステップＳ４）、識別情報を暗号処理してから無線部１４、アンテナ１３を介して携帯電話機１へ送信する（ステップＳ５）。
【００４７】
携帯電話機１は送信された識別情報を受信すると（ステップＳ６／Ｙｅｓ）、暗号部９により解読し（ステップＳ７）、データ管理部１０が有する識別情報と比較する（ステップＳ８）。
【００４８】
ここで、比較とは、非接触ＩＣ装置２から出力される識別情報が親端末（携帯電話機）の持つものと一致するかを確認する行為を指す。
【００４９】
比較の結果、一致したら（ステップＳ９／Ｙｅｓ）、携帯電話機１が正式な所有者の近くにいると判断し、処理を継続する（ステップＳ１０）。
【００５０】
一致しなければ（ステップＳ９／Ｎｏ）、所有者が近くにいないと判断し（ステップＳ１１）、処理を中止するか又は機能をロックする（ステップＳ１２）。
【００５１】
［他の実施の形態］
図３は、本発明の他の実施の形態の動作を示すフローチャートである。
【００５２】
図３に示すように、まず、特定処理動作前のイベントの発生により（ステップＳ１０１）、カウントを初期値に設定してから（ステップＳ１０２）、携帯電話機１は非接触ＩＣ装置２に対して識別情報の要求命令を送信する（ステップＳ１０３）。
【００５３】
次いで、非接触ＩＣ装置２は携帯電話機１からの識別情報を要求命令を受信すると（ステップＳ１０４）、データ管理部１７から識別情報を読み出して（ステップＳ１０５）、識別情報を暗号処理してから無線部１４、アンテナ１３を介して携帯電話機１へ送信する（ステップＳ１０６）。
【００５４】
携帯電話機１は、非接触ＩＣ装置２から回答を受信したか否かを判断し（ステップＳ１０７）、携帯電話機１は送信された識別情報を受信すると（ステップＳ１０７／Ｙｅｓ）、暗号部９により解読し（ステップＳ１０８）、データ管理部１０が有する識別情報と比較する（ステップＳ１０９）。
【００５５】
携帯電話機１は、非接触ＩＣ装置２から識別情報を受信しなければ（ステップＳ１０７／Ｎｏ）、カウントを１プラスして（ステップＳ１１０）、設定の要求回数（ｎ回）内に受信できていなければ（ステップＳ１１１／Ｙｅｓ）、近くに所有者がいない、つまり、携帯電話機１が盗まれたか又は紛失された状態と判断して処理を中止し、全機能を利用不可能にする（ステップＳ１１２）。
【００５６】
また、非接触ＩＣ装置２からの識別情報の受信失敗回数が、設定された回数（ｎ回）に達していなければ（ステップＳ１１１／Ｎｏ）、処理はステップＳ１０３に戻る。
【００５７】
また、携帯電話機１がデータ管理部１０に格納される識別情報と受信した識別情報とを比較した結果（ステップＳ１１３）、識別情報が一致した場合（ステップＳ１１３／Ｙｅｓ）、処理を継続する（ステップＳ１１４）。
【００５８】
また、全機能を利用不可能にした場合、盗難の場合に備え、個人情報保護のために、データ管理部１０内のすべてのデータをあらかじめ設定されたサーバに携帯電話の無線通信網を利用してデータをアップロードさせ（ステップＳ１１５）、アップロード終了後データ管理部１０内のデータをすべてを削除する（ステップＳ１１６）ことで、個人情報の漏洩を防止する。
【００５９】
本実施の形態によれば、識別情報送信装置から送信された識別情報を照合用の識別情報と比較し、一致しなかった場合、携帯通信端末の所有者が近くにいないと判断するので、携帯通信端末が所有者から一定の距離だけ離れると、携帯通信端末の機能をロックし、仮に、盗難、紛失等にあっても、不正利用を防止することができる。
【００６０】
また、携帯通信端末内部の情報を指定のサーバに退避させ、携帯通信端末内部の情報を削除することで、第三者への情報の漏洩を防止する。
【産業上の利用可能性】
【００６１】
本発明は、携帯通信端末の不正利用を防止するために利用することができる。
【図面の簡単な説明】
【００６２】
【図１】本発明の一実施の形態としての携帯電話機と非接触ＩＣ装置の構成を示すブロック図である。
【図２】本発明の一実施の形態の動作を示すフローチャートである。
【図３】本発明の他の実施の形態の動作を示すフローチャートである。
【符号の説明】
【００６３】
１  携帯電話機
２  非接触ＩＣ装置
３  アンテナ
４  無線部
５  音声処理部
６  スピーカ
７  マイク
８  制御部
９  暗号部
１０  データ管理部
１１  表示部
１２  操作部
１３  アンテナ
１４  無線部
１５  制御部
１６  暗号部
１７  データ管理部
【図１】
2006197218.tif 000003
【図２】
2006197218.tif 000004
【図３】
2006197218.tif 000005